(57)【要約】【課題】本発明は、伝言ボード及びこれに用いられるボタンユニットに関するものであり、特に、筆記に関連したメッセージを、携帯端末に対して、簡単に通知可能とすることを目的としている。【解決手段】本発明は上述の目的を達成するため、伝言ボード本体と、この本体の表面に設けられた筆記面と、この筆記面に着脱可能に配置されるボタンユニットと、このボタンユニットを作動することによって、携帯端末にメッセージを送信する無線ユニットを有することを特徴とするものである。 【選択図】    図１
2017205995.tif 000002
【特許請求の範囲】
【請求項１】
伝言ボード本体と、この本体の表面に設けられた筆記面と、この筆記面に着脱可能に配置されるボタンユニットと、このボタンユニットを作動することによって、携帯端末にメッセージを送信する無線ユニットを有することを特徴とする伝言ボード。
【請求項２】
無線ユニットと、ボタンスイッチと、このボタンスイッチの操作によって、前記無線ユニットによって、メッセージ送信を行うコントローラと、このコントローラ及び前記無線ユニットを駆動するバッテリとを有することを特徴とするボタンユニット。
【請求項３】
ボタンユニットの本体の底面に磁石が設けられていることを特徴とする請求項２項記載のボタンユニット。
【発明の詳細な説明】
【技術分野】
【０００１】
本発明は、例えば、家庭において、家族に当てたメッセージ等を筆記しておく伝言ボードに関するものである。
【背景技術】
【０００２】
従来から、買い物リストや、外出先、或は子供になどの家族に宛てたメッセージ等を筆記するために、伝言ボードが用いられることがある。
この伝言ボードは、マグネットシートで構成された本体の表面に白色の
樹脂層が設けられたもので、マーカーによって筆記ができ、また、イレイサーにより容易に筆記を消去できるものであり、ホワイトボードで構成されている。
【０００３】
一方、電子機器として、スマートフォン等と無線交信して、メッセージを送受信できるタブレット端末が知られている。
また、家庭内のタブレット端末に、スマートフォンからメッセージを送信して、このメッセージに対する応答によって、家庭の家族の状況を把握できるシステムも知られている。
【０００４】
【特許文献１】特開２０１５−２０７０７７号
【発明の開示】
【発明が解決しようとする課題】
【０００５】
例えば、児童の帰宅時に外出中の親が、児童が無事に帰宅したか確認したい場合、上記の特開２０１５−２０７０７７号に示されたタブレット端末のようなものを使用する必要があるが、タブレット端末のような情報機器の操作は、児童にとっては容易なことではない。
このため、操作が面倒になり、結局このようなシステムは、利用されないこととなる。
【０００６】
本発明は、外出先から、携帯端末などによって、家族の帰宅状況などを容易に把握できる伝言ボードを提供するものである。
更に、使用方法が簡単で、児童などでも容易に操作が可能なボタンユニットに関するものであり、伝言ボードに関連したメッセージを確実に通知し、また受け取ることを可能とするものである。
【課題を解決するための手段】
【０００７】
上記課題を解決するため、本発明は、請求項１に記載するように、伝言ボード本体と、この本体の表面に設けられた筆記面と、この筆記面に着脱可能に配置されるボタンユニットと、このボタンユニットを作動することによって、携帯端末にメッセージを通知する無線ユニットを有することを特徴としている。
【０００８】
また、請求項２に記載するように、伝言ボードに用いられるボタンユニットであって、無線ユニットと、ボタンスイッチと、このボタンスイッチの操作によって、前記無線ユニットによって、メッセージ送信を行うコントローラと、このコントローラ及び前記無線ユニットを駆動するバッテリとを有することを特徴としている。
更に、請求項３に記載するように、ボタンユニットの本体の底面に磁石が設けられていることを特徴としている。
【発明の効果】
【０００９】
本発明によれば、伝言ボードにおいて、筆記に関連したメッセージを外部送信する無線通信機能を有するボタンユニットを設けることによって、伝言ボードの利便性を向上させることが可能となる。
【図面の簡単な説明】
【００１０】
【図１】図１は、本発明の実施例の形態に係る伝言ボードの外観を示す正面図である。
【図２】図２は、本発明の実施例の形態に係るボタンユニットの外観を示す側面図である。
【図３】図３は、本発明の実施例の形態に係るボタンユニットの回路構成を示すブロック図である。
【図４】図４は、本発明の第１の実施例に係る動作シーケンスを示す図である。
【図５】図５は、本発明の第２の実施例に係る動作シーケンスを示す図である。
【発明を実施するための形態】
【００１１】
以下、本発明を実施するための最良の形態について、図面を参照して詳細に説明する。
【実施例】
【００１２】
以下、図に沿って本発明の一実施例を説明する。
図１は本発明の一実施例の伝言ボードを示す正面図である。
１は伝言ボード本体であり、この本体１の裏側には、この伝言ボードを例えば、図示しない冷蔵庫のドア前面に固定するための磁石が設けられている。
２は筆記面であり、白色の樹脂層で形成されている。
３はボタンユニットであり、前面にボタンスイッチが設けられている。
４はトレイであり、このトレイ４上に、前記筆記面２に筆記するためのマーカー５や、この筆記を消去するためのイレイサ６が配置される。
【００１３】
図２に、ボタンユニット３の側面図を示す。
このボタンユニット３は、ボタンユニット本体３１、このボタンユニット本体３１の前面に設けられたボタンスイッチ３２、及びこのボタンユニット本体３１の裏面に設けられた磁石３３で構成されている。
尚、本実施例装置においては、図１に示すように、ボタンスイッチ３２の表面には「見たよ」という表記がされている。
これは、帰宅した子供に対して、このボタンスイッチ３２を押すことを促すための表示である。
このように、ボタンユニット３の全面の大部分を占めるボタンスイッチ３２と、このボタンスイッチ３２の表面に設けられた表記によって、児童であっても、容易に操作することが可能となる。
【００１４】
続いて、図３及び図４を用いてこのボタンユニット３の動作について説明する。
図３にボタンユニット３の回路構成のブロック図を示す。
ボタンユニット３の動作回路は、ＣＰＵで構成されたコントローラ１１と、先のボタンスイッチ３２の操作によって起動される起動スイッチ１２と、起動したことを発光によって知らせるＬＥＤ１４と、起動したことを、図示しない携帯端末に知らせるための無線ユニット１５と、この無線ユニット１５及びコントローラ１１を駆動するためのバッテリ１３と、無線接続用のデータや送信用のメッセージが記録されたメモリ１６で構成されている。
【００１５】
続いて、図４に動作シーケンス図を示す。
ボタンスイッチ３２が押されていないオフの場合は、起動スイッチ１２からの起動信号を、コントローラ１１が受け付け可能な状態が維持される（スリープ状態）。
ボタンスイッチ３２が押されると、起動スイッチ１２がオンとなり、コントローラ１１によって、イベント発生２１がされ、スリーブ解除２２が行われると共に、ＬＥＤオン２３状態となりＬＥＤ１４が点灯される。
また、無線ユニット１５が起動されて、無線接続２４がなされる。
更に、この無線接続２４によって、ボタンスイッチ３２が押された時刻を、前述の携帯端末に送信するために、時刻取得２５が行われる。
この時刻取得２５は、例えばＮＴＰ（ネットワーク  タイム  プロトコル）によって行われる。
【００１６】
時刻取得２５が終了し、このボタンユニット３のＩＤやパスワードによって、通知認証２６が行われた後、このボタンユニット３が押された旨のメッセージ及び取得時刻が、前述の携帯端末に通知される。（通知２７）
尚、本実施例における無線接続２４はＷｉＦｉ（登録商標）が用いられ、インターネットを介して、図示しない携帯端末に前述の時刻情報及びボタンスイッチ３２が押された旨のメッセージが通知される。
【００１７】
通知２７が完了して、ＬＥＤ点滅２８が所定の時間行われた後は、再度、起動スイッチ１２からの起動信号をコントローラ１１が受け付け可能なスリープの状態となる。
【００１８】
尚、メモリ１６にはＷｉＦｉ（登録商標）接続用のＳＳＩＤ、パスワード、送信メッセージなどが記録されているが、この記録データは、無線ユニット１５を介して、外部の携帯端末やパーソナルコンピュータによって、随時書き込み可能とされている。
【００１９】
携帯端末への通知については、ツイッター（登録商標）などのソーシャル、ネットワーキング、サービス等を用いてもよい。
この場合は、これらのサービス用のデータがメモリ１６に記録される。
【００２０】
図５に第２の実施例の動作シーケンスを示す。
上記の第１の実施例では、ボタンスイッチ３２が押されていない場合はコントローラ１１をスリープ状態としている。
このようなスリープ状態とすることによって、バッテリー１３を交換することなく、長時間利用可能となる。
しかしながら、スリープ状態とすることなく、ボタンユニット３を、インタネットに常時接続して利用してもよい。
この場合は、電源投入直後に無線接続２４が行われ、ボタンスイッチ３２が押されずにイベントが発生していない状態の間は、所定の時間間隔で時刻取得２５が行われる。
ボタンスイッチ３２が押されると、イベントが発生し、イベント発生判別部はｙｅｓの状態になりＬＥＤ点灯２３が行われ、通知認証２６を行った後、取得時間と所定メッセージの通知２７（無線ユニット１５による送信）が行われる。
通知２７の後、ＬＥＤ点滅２８が行われ、再度、所定の間隔で時刻を取得する時刻取得２５が行われる。
この時刻取得２５は、第１の実施例と同様に、インターネット上のサーバーに接続して、ＮＴＰ（ネットワーク  タイム  プロトコル）によって行われる。
【００２１】
本発明は、上述の実施例に限定されるものではなく、例えば、ボタンスイッチは加速度センサや触覚センサを用いてもよい。
また、本体内部に温度センサを設けて、温度情報を通知してもよい。
更に、異なる複数の送信メッセージ毎に複数のボタンユニットを配置してもよい。
【００２２】
また、通知先を任意に設定可能として、目的に合わせて最適な相手の携帯端末に向けて通知を行ってもよい。
【産業上の利用可能性】
【００２３】
本発明は、例えば家庭において利用する伝言ボードに関するものであり、筆記や筆記の消去に加えて、簡単な構造で、その筆記を見たこと通知、確認することを可能とするものである。
また、容易に操作が可能なボタンユニットを提供するものである。
【符号の説明】
【００２４】
１：伝言ボード本体
２：筆記面
３：ボタンユニット
１１：コントローラ
１３：バッテリ
１４：無線ユニット
３２：ボタンスイッチ
３３：磁石
【図１】
2017205995.tif 000003
【図２】
2017205995.tif 000004
【図３】
2017205995.tif 000005
【図４】
2017205995.tif 000006
【図５】
2017205995.tif 000007